(57)【要約】【課題】  特にお年寄りにも容易に認識できる到着予報灯を備えたエレベータの到着予報装置を提供すること。【解決手段】  複数台のエレベータにおける個々の乗り場に対応してそれぞれ設けられる到着予報灯１３，１４，１５を、個々の乗り場ドア４，５，６前方の床２０面に埋設して設ける。制御装置９，１０，１１，１２，１３は、操作盤７，８に設けられた乗り場呼びボタンの操作に基づき、複数台のエレベータの乗りかごのうち、１台の乗りかごをその乗り場呼びのあった階床の乗り場に割当てるとともに到着予報灯１３，１４，１５に対して点灯信号を出力して点灯させる。【選択図】  図１
2005053627.tif 000002
【特許請求の範囲】
【請求項１】
複数台のエレベータにおける個々の乗り場に対応してそれぞれ設けられた到着予報灯と、前記乗り場に設けられた乗り場呼びボタンの操作に基づき、前記複数台のエレベータの乗りかごのうち、１台の乗りかごをその乗り場呼びのあった階床の乗り場に割当てるとともに前記到着予報灯に対して点灯信号を出力する制御装置とを備え、前記到着予報灯を個々の乗り場ドア前方の床面に設けたことを特徴とするエレベータ乗りかごの到着予報装置。
【請求項２】
前記到着予報灯を、個々の乗り場ドア前方の床面に埋設して設けたことを特徴とする請求項１に記載のエレベータ乗りかごの到着予報装置。
【請求項３】
前記到着予報灯を、前記乗りかごが昇降する方向別に色分けして構成したことを特徴とする請求項１に記載のエレベータ乗りかごの到着予報装置。
【請求項４】
前記到着予報灯を、前記乗りかごが昇降する方向別に矢印で表示して構成したことを特徴とする請求項１に記載のエレベータ乗りかごの到着予報装置。
【請求項５】
前記到着予報灯を、前記乗りかごが昇降する方向別に漢字で表示して構成したことを特徴とする請求項１に記載のエレベータ乗りかごの到着予報装置。
【発明の詳細な説明】
【技術分野】
【０００１】
本発明は、エレベータに係り、特に複数台のエレベータ乗りかごの中から、割当てられたエレベータ乗りかごが到着することを利用客に知らせる到着予報灯を備えたエレベータ乗りかごの到着予報装置に関するものである。
【背景技術】
【０００２】
最近のビルにおいては、エレベータが複数台設置されており、この複数台のエレベータを効率的に運行するために、これらを１グループとして効率的に運転する、いわゆる群管理制御方式が採用されている。群管理制御方式のエレベータは、利用客が各階床の乗り場に設置されている乗り場呼びボタンを操作すると、グループの中で最も適切と判断されたエレベータ乗りかごをその乗り場呼びに応じて割当てるようになっている。
【０００３】
各階床の乗り場には、複数台のエレベータに対応して個々に乗り場ドアが設けられており、利用客は割当てられたエレベータの乗り場ドアから乗りかご内に乗り込んでいる。したがって乗り場に複数設けられている乗り場ドアの中で、どの乗り場ドアに乗りかごが到着するのかを、乗り場で待機している利用客に知らせる必要がある。このため、乗り場ドアが設けられた三方枠の上方に位置する天幕または三方枠周辺の上部に到着予報灯が設けられ、乗りかごが到着する際には、この到着予報灯が点灯し、同時にチャイムが鳴ることによって利用客に乗りかごの到着を知らせるようにしている。到着予報灯が点灯され、チャイムが鳴ると、利用客はその到着予報灯が点灯している乗り場ドアの前に移動して、到着した乗りかごに乗り込むことになる。
【発明の開示】
【発明が解決しようとする課題】
【０００４】
上述した従来の技術においては、到着予報灯が乗り場の天幕や三方枠周辺の高い位置等に設けられているために、利用客の中で特にお年寄りは到着予報灯の存在に気付かず、到着予報灯が点灯しているにもかかわらず見過ごしてしまい、到着した乗りかごを乗り過ごしてしまう、といった問題が発生するおそれがあった。
【０００５】
本発明は上述した問題点に鑑みてなされたもので、特にお年寄りにも容易に認識できる到着予報灯を備えたエレベータの到着予報装置を提供することを目的とする。
【課題を解決するための手段】
【０００６】
本発明は、複数台のエレベータにおける個々の乗り場に対応してそれぞれ設けられる到着予報灯を、個々の乗り場ドア前方の床面に設けたことを特徴とする。
【発明の効果】
【０００７】
本発明によれば、到着予報灯がお年寄りにも見やすい床面に設けられているので、到着予報灯の点灯に容易に気付くことができ、到着する乗りかごに対して乗り過ごしてしまう問題を少なくすることができる。
【発明を実施するための最良の形態】
【０００８】
本発明の形態は到着予報灯を個々の乗り場ドア前方の床面に設けたことを特徴とするものであり、到着予報灯の一態様は、上昇用と下降用の２個の三角形状表示灯をひし形に組合せて構成し、個々の乗り場ドア前方の床面に埋設して設ける。
【実施例１】
【０００９】
図1は本発明の実施例１の形態にかかるエレベータの到着予報装置を示す概略構成図である。図２および図３は実施例１の主要部を拡大して示す斜視図および断面図である。図１において、ビルの各階床には、例えばそれぞれ３台が対面して設置された６台のエレベータが設置されており、これらは１群として交通需要の変化に対応して効率的な運転管理が行なわれるように群管理制御方式で運行されている。図１においては、対面する一方の側に設置された３台のエレベータ１，２，３を示している。各階床のエレベータ乗り場には、各エレベータの乗りかごにそれぞれ乗るために乗り場ドア４，５，６が設けられ、この乗り場ドア４，５，６間に乗り場呼びボタンを有する操作盤７，８が設けられている。この操作盤７，８は、中間の階床の場合、上の階床へ移動するために乗りかごを呼ぶ上昇呼びボタンａと下の階床へ移動するための乗りかごを呼ぶ下降呼びボタンｂとが設けられ、これらが建物の壁に埋設された操作盤７，８に配置されている。
【００１０】
操作盤７，８の乗り場呼びボタンは、群管理制御装置９に接続されている。群管理制御装置９には、各エレベータの乗りかごを運行制御する主制御装置１０，１１，１２が接続されており、この各主制御装置１０，１１，１２には到着予報灯１３，１４，１５が接続されている。到着予報灯１３，１４，１５は、複数台のエレベータにおける個々の乗り場に対応して個々の乗り場ドア４，５，６の前方に位置する床２０面にそれぞれ設けられている。すなわち、図２および図３に示すように、到着予報灯１３は、乗りかごが昇降する方向別に矢印で区分けし、さらに色分けして構成されている。本実施の形態では、乗り場ドア４に向かう方向に先細りの三角形状の表示灯１３ａを乗りかごの上昇方向、乗り場ドア４から離れる方向に先細りの三角形状の表示灯１３ｂを乗りかごの下降方向として、乗り場ドア４に向かってひし形に構成されている。他の到着予報灯１４，１５についても同様に構成されている。各到着予報灯１３，１４，１５は乗り場ドア４，５，６の前方の床２０に埋設して設けられており、図示していないが主制御装置１０，１１，１２に接続される信号配線も床２０に埋め込まれている。到着予報灯１３，１４，１５は、鋼板などで形成された表示灯ケース１６の内部にランプ等の光源１７を配置し、表示灯ケース１６の上面開口部に、着色したアクリル板１８を介して強化ガラス１９を配設して構成されている。到着予報灯１３，１４，１５の大きさについては、乗り場ドア４，５，６の幅寸法の１／２程度を有することが望ましいが、エレベータの配列や乗り場の広さ、また建物とのバランスを考慮して、都度設定することができる。
【００１１】
かかる構成を有するエレベータにおいて、各主制御装置１０，１１，１２は、それぞれのエレベータの乗りかごの位置および移動方向についての情報を個別に管理しており、その情報を群管理制御装置９に出力している。したがって群管理制御装置９は、乗り場呼びボタン７，８の上昇呼びボタンａまたは下降呼びボタンｂの押下操作による登録信号を受信すると、各主制御装置１０，１１，１２が管理する各エレベータの乗りかごの位置と移動方向とに基づき、複数台のエレベータの中から１台の最適なエレベータを選定し、その選定されたエレベータを運行制御する主制御装置１０，１１，１２に対して選定状態を通知し、乗り場呼び登録のあった階床に対応する到着予報灯１３，１４，１５を点灯するように制御し、また非選定になった他のエレベータの主制御装置１０，１１，１２に対して非選定状態を通知する。
【００１２】
この実施例１によるエレベータ乗りかごの到着予報装置の作動を図４に示すフローチャートを参照しながら説明する。利用客がエレベータを利用する階床において、乗り場呼びボタンの押下操作により乗り場呼びを発生させると、この押下信号が群管理制御装置へ出力される（Ｓ１）。群管理制御装置において、乗り場呼びに応じて、その乗り場呼びに割当てるのに最も適切な乗りかごを判断し決定する（Ｓ２）。群管理制御装置から主制御装置にエレベータの運転信号を出力して、その乗りかごを乗り場呼びのあった階床へ移動させる。このとき同時に上昇用または下降用のいずれか一方の表示灯（到着予報灯）に対して点灯信号を出力する（Ｓ３）。そうすると、乗り場の床面が点灯して明るくなるので、乗りかごが到着する乗り場がどれかについて、お年寄りも容易に気付くことができ、お年寄りは到着予報灯の点灯している乗り場ドアに向かって移動することができる。
【００１３】
群管理制御装置が、乗りかごが到着したかどうかを判定し、到着したと判定すると、主制御装置を介して乗り場呼びボタンを消灯する一方、到着予報灯を点滅させる（Ｓ５）。乗りかごに利用客が乗り込み、乗りかごが昇降を開始したと群管理制御装置が判定すると到着予報灯を消灯する（Ｓ６）。
【００１４】
このように、到着予報灯がお年寄りにも見やすいように乗り場の床面に設けられているので、お年寄りが到着予報灯の点灯に容易に気付くことができ、到着する乗りかごに対して乗り過ごしてしまう問題を少なくすることができる。
【実施例２】
【００１５】
図５は本発明の実施例２を示す平面図である。図５において、本実施例２は、上昇用および下降用の三角形状の表示灯２３ａ，２３ｂの構成および乗り場ドア前方の床面に埋設される構成は実施例１と同じであるが、本実施例２では、三角形状の表示灯２３ａ，２３ｂを横並び（乗り場ドアに向かう方向に対して直角方向）に配置している点が実施例１と異なっている。本実施例２では、表示灯１３ａ，１３ｂを横並びに配置する構成とすることにより、対面するエレベータ間の乗り場が狭い場合でも寸法の大きい到着予報灯２３を設置することができる。
【実施例３】
【００１６】
図６は本発明の実施例３を示す平面図である。図６において、本実施例３は、上昇用および下降用の表示灯３３ａ，３３ｂを有する構成および乗り場ドア前方の床面に埋設される構成は実施例１と同じであるが、本実施例３では、表示灯３３ａ，３３ｂの乗り場の床面に見える部分を「上・下」の文字のみとし、また光源には色の異なるＬＥＤ２１を使用することにより、アクリル板を使用しないで色分けして構成している点が実施例１と異なっている。本実施例３による到着予報灯３３では、乗りかごの方向別の表示に漢字を使用しているため、お年寄りにも容易に認識することができる。
【図面の簡単な説明】
【００１７】
【図１】本発明の実施例１にかかるエレベータの到着予報装置を示す概略構成図である。
【図２】実施例１の主要部を拡大して示す斜視図である。
【図３】実施例１の主要部を拡大して示す断面図である。
【図４】実施例１によるエレベータ乗りかごの到着予報装置の作動を示すフローチャートである。
【図５】本発明の実施例２を示す平面図である。
【図６】本発明の実施例３を示す平面図である。
【符号の説明】
【００１８】
１，２，３…エレベータ
４，５，６…乗り場ドア
７，８…操作盤
９…群管理制御装置
１０，１１，１２…主制御装置
１３，１４，１５…到着予報灯
１３ａ，１３ｂ，２３ａ，２３ｂ，３３ａ，３３ｂ…表示灯
１６…表示灯ケース
１７…光源
１８…アクリル板
１９…強化ガラス
２０…床
２１…ＬＥＤ
ａ…上昇呼びボタン（乗り場呼びボタン）
ｂ…下降呼びボタン（乗り場呼びボタン）
【図１】
2005053627.tif 000003
【図２】
2005053627.tif 000004
【図３】
2005053627.tif 000005
【図４】
2005053627.tif 000006
【図５】
2005053627.tif 000007
【図６】
2005053627.tif 000008